(57)【要約】【課題】モジュール用タンクの大きさを共通にして構造を簡単にして製作を容易にし、収納する機器が変化しても同じタンクを使用できるようにする。【解決手段】モジュールの基本構造を、遮断器、接地開閉器付断路器、母線用ブッシング、ケーブル接続用ブッシング、ガス区分スペーサの全てを収納・取付けできるものとし、回路構成により必要な主回路機器を残し、排除した主回路機器部分は短絡導体により短絡し、タンク開口部は製作時に加工を止めるか、または蓋板により閉塞できるようにした。また、母線用ブッシング及びケーブル接続用ブッシングをタンク裏面に配置し、ガス区分スペーサをタンクの上下面に配置した。遮断器の主回路を収納する絶縁筒には、遮断器の変わりに避雷器も収納できる。【選択図】        図１
2004153954.tif 000002
【特許請求の範囲】
【請求項１】
主回路機器を絶縁性ガスを密封したタンクに収納したガス絶縁スイッチギヤであって、タンク内に、真空バルブを含む遮断器を支持し得る絶縁フレーム及び接地開閉器付断路器を、上下方向に重ねて配置し、上記断路器及び上記真空バルブの可動軸間を接続してなる少なくとも１つのスイッチギヤモジュールを備えたことを特徴とするガス絶縁スイッチギヤ。
【請求項２】
上記スイッチギヤモジュールは、遮断器、接地開閉器付断路器、母線用ブッシング及びケーブル接続用ブッシングの全てを取付けることができることを特徴とする請求項１記載のガス絶縁スイッチギヤ。
【請求項３】
複数個の上記スイッチモジュールを上記タンク間を気密に接続するスペーサを介して接続して回路を構成したことを特徴とする請求項１あるいは２記載のガス絶縁スイッチギヤ。
【請求項４】
上記タンクは前方に遮断器及び接地開閉器付断路器を組付け可能な取付板により気密に閉塞する開口部を有し、裏面に母線用ブッシング及びケーブル接続用ブッシングを取り付ける為の開口部を有し、上方及び下方にタンク間を気密に接続するスペーサが取付可能な開口部を有し、タンク製作時に開口部の加工を省略するか、または、蓋板により閉塞することにより、どのモジュールにも使用可能であることを特徴とする請求項１乃至３のいずれか一項記載のガス絶縁スイッチギヤ。
【請求項５】
上記スイッチギヤモジュール内で絶縁フレーム内に避雷器を収納し、絶縁フレームの上方、又は、下方に接地開閉器又は接地開閉器付断路器を収納したモジュールを備えたことを特徴とする請求項３あるいは４記載のガス絶縁スイッチギヤ。
【発明の詳細な説明】
【０００１】
【発明の属する技術分野】
本発明はガス絶縁スイッチギヤに関するものである。
【０００２】
【従来の技術】
従来のガス絶縁スイッチギヤは、架台の上方に第１のモジュールが取付けられ、この第１のモジュールの上方にガス区分スペーサを介して第２のモジュールが取付けられている。第１のモジュールのタンク内には、遮断器及び接地開閉器が収納されており、タンク下面にはケーブル接続用ブッシングが取付けられている。第２のモジュールのタンクは、第１のモジュール用のタンクより小さく、タンク内には接地開閉器付断路器が収納されており、タンク上方には母線が接続された母線用ブッシングが取付けられている。また、第１のモジュールと第２のモジュールとの間は各々のタンク内を気密に保てるガス区分スペーサを介して接続されている。第１のモジュールおよび第２のモジュールのそれぞれのタンク前面側には開口部が設けられており、それぞれの取付板が気密に取付けられている。取付板の前面には各モジュール内に収納してある遮断器、接地開閉器付断路器及び接地開閉器用操作部が取付けられている。（例えば特許文献１参照）
【０００３】
【特許文献１】
特開２００１−３１１６１４号公報
【０００４】
【発明が解決しようとする課題】
従来のスイッチギヤに於いては、第１および第２のモジュール用タンクの大きさが互いに異なっていたので、タンク裏面側のパネル形状を鉤型にする必要があるため、その構造が複雑で製作が困難であった。
【０００５】
また、第１、第２のモジュール用タンクの大きさが収納する機器により異なっていたので、収納する機器によって、タンクの外径寸法および構造を変更する必要があったため、タンク製作の段取りなどに長時間を要していた。
【０００６】
従ってこの発明の目的は、モジュールのタンクの大きさおよび形状を互い等しくし、モジュール内に収納すべき数種類の電気機器に対応できるようにしたモジュールを用いたガス絶縁スイッチギヤを提供することである。
【０００７】
【課題を解決するための手段】
上述の問題を解決するために、この発明によれば、主回路機器を絶縁性ガスを密封したタンクに収納したガス絶縁スイッチギヤは、寸法および形状がほぼ同一のタンク内に、真空バルブを含む遮断器を支持し得る絶縁フレーム及び接地開閉器付断路器を、上下方向に重ねて配置し、上記断路器及び上記真空バルブの可動軸間を接続してなる少なくとも１つのスイッチギヤモジュールを備えたことを特徴とするものである。
【０００８】
すなわち、モジュールの基本構造を、遮断器、接地開閉器付断路器、母線用ブッシング、ケーブル接続用ブッシング、ガス区分スペーサの全てを収納・取付けできるものとし、回路構成により必要な主回路機器を残して主回路機器を排除し、排除した主回路機器部分は短絡導体により短絡し、タンク開口部は製作時に加工を止めるか、または蓋板により閉塞することで対応できるものとした。
【０００９】
【発明の実施の形態】
実施の形態１．
図１に示すように、ガス絶縁スイッチギヤは第１のモジュール２ｂと第２のモジュール４ｂから構成されており、それぞれのタンク５ｂおよび５ｃの外径寸法及び形状は同一である。図示の例では各タンク５ｂおよび５ｃは、縦、横および高さのそれぞれの寸法が同じでほぼ立方体形状であるが、直方体でもよい。
【００１０】
第１のモジュール用タンク５ｂは前面に開口部を有し、取付板１６ａが気密に取付けられている。取付板１６ａの裏面には、遮断器６を収納した絶縁筒１７と接地開閉器７ｂが取付けられていて、それぞれを駆動する操作軸１８は取付板１６ａに設けた穴を貫通し、取付板１６ａ前面の操作部１５に接続されている。なお、操作軸１８と取付板１６ａの間はパッキング１９により操作軸が運動した場合でも気密を保てるようにしてある。また、タンク裏面にはケーブル接続用ブッシング８ｂを取り付け、電力ケーブル２０を接続し、タンク上面にはガス区分スペーサ３ｂを気密に取付けてある。また、各主回路機器の間は接続導体２１，２２により接続されており、基本構造から排除している断路器部分も短絡導体２３により接続されている。また、基本構造から排除している母線用ブッシング用開口部は、タンク内の組立作業用として用い、作業終了後に蓋板により閉塞してある。
【００１１】
第２のモジュール用タンク５ｃも第１のモジュール用タンク５ｂと同様に前面に開口部を有し、取付板１６ｂが気密に取付けられている。取付板１６ｂの裏面には遮断器を収納する絶縁筒１７と接地開閉器付断路器１０ｂが取付けられている。タンク裏面には母線用ブッシング２４を取付けられて母線２５が接続されており、タンク下面にはガス区分スペーサ３ｂが気密に取付けられている。また、各主回路機器の間は接続導体２６により接続されており、基本構造から排除している遮断器部分も短絡導体２７により接続してある。また、基本構造から排除しているケーブル接続用ブッシング用開口部は、タンク内の組立作業用として用い、作業終了後に蓋板により閉塞してある（図示してない）。
【００１２】
ガス絶縁スイッチギヤ用モジュールの基本構造を図２乃至図５に示す。これらの図に示すようにモジュール用タンク５ｄの前面には開口部が設けられ、開口部には気密に取付板１６ｃが取付けられている。取付板１６ｃの裏面には遮断器６を収納し、且つ下方に接地開閉器付断路器１０ｂを備えた絶縁筒１７を取付けてあり、タンク裏面には上方に母線用ブッシング２４を第２相を中心に、第１相、第３相は第２相に対し上下、左右にずらして配置してある。また、母線用ブッシング２４の下方にはケーブル接続用ブッシング８ｂが水平に配置してある。一方、タンク上面および下面にはガス区分スペーサ３ｂが取付けられている。実際の回路構成においては母線用ブッシング２４、ケーブル接続用ブッシング８ｂ及び上下のガス区分スペーサ３ｂが全て必要な場合はなく、実際に適用する場合には、不要な機器を排除し、排除した機器の取付用開口部をタンク内作業用開口部として用い、作業後に蓋板を気密に取付けることができる。また、このスイッチギヤモジュールは上下を反転して用いることも可能であり、接地開閉器付断路器１０ｂを絶縁筒の上方にし、同時にケーブル接続用ブッシング８ｂを母線用ブッシング２４の上方に反転して配置しても使用可能である。また、この基本形は図３に示すとおり、ガス区分スペーサ３ｂを排除し、開口部を閉塞部材（図示してない）によって閉塞することにより、１個のスイッチギヤモジュールだけでも使用可能である。
【００１３】
実施の形態２．
図７に示すように、実施の形態１と同様に第１のモジュール２ｂ（タンク内の機器は接地開閉器でなく接地開閉器付断路器に変えてある）および第２のモジュール４ｂを配置し、第１のモジュール２ｂの下方にガス区分スペーサ３ｂを介して第３のモジュール２８が取付けられている。第３のモジュール用タンク２８も他のタンクと同様に前面に開口部を持ち、取付板１６ｄが気密に取付けられている。取付板１６ｄの裏面には避雷器２９を収納した絶縁筒１７と、絶縁筒１７の下方に配した接地開閉器７ｂを取付けてある。ガス区分スペーサ３ｂと避雷器２９、接地開閉器７ｂの間は接続導体３０により電気的に接続してある。
【００１４】
実施の形態３．
図８に示すように、ガス絶縁スイッチギヤモジュールを２個用い、第４のモジュール３１の母線２５の位置は、実施の形態１に示す図１と同一高さであり、これに接続可能である。第４のモジュール３１および第５のモジュール３２のそれぞれに絶縁筒１７の上方及び下方に接地開閉器付断路器１０ｂを配し、タンク裏面にはそれぞれ個別の回路に接続する母線２５及び電力ケーブル用ブッシング８ｂが取付けられている。また、第４のモジュール３１と第５のモジュール３２の間にはガス区分スペーサが介在しておらず、ガス区分スペーサ取付用穴は閉塞されている。
【００１５】
この発明のガス絶縁スイッチギヤによれば、基本形のモジュールから不要な機器を削除し、短絡導体によりその間を接続及び、開口部を閉塞したものをガス区分スペーサを介して接続するだけで必要な回路構成を得られるので、あらゆる回路構成に容易に対応することが可能で、回路の計画を容易にし、またモジュールの標準化を実現できる。
【００１６】
【発明の効果】
上述の説明から明らかな通り、この発明によれば、主回路機器を絶縁性ガスを密封したタンクに収納したガス絶縁スイッチギヤは、寸法および形状がほぼ同一のタンク内に、真空バルブを含む遮断器を支持し得る絶縁フレーム及び接地開閉器付断路器を、上下方向に重ねて配置し、上記断路器及び上記真空バルブの可動軸間を接続してなる少なくとも１つのスイッチギヤモジュールを備えたことを特徴とするものである。従って、モジュールのタンクの大きさおよび形状が互い等しく、モジュール内に収納すべき数種類の電気機器に対応できるようにしたスイッチモジュールを用いたガス絶縁スイッチギヤが得られる。
【図面の簡単な説明】
【図１】本発明のガス絶縁スイッチギヤの実施の形態１を示す側断面図である。
【図２】本発明のモジュールの基本形を示す側断面図である。
【図３】図２のモジュールの平面図である。
【図４】図２の線Ａ−Ａに沿ったモジュールの断面図である。
【図５】図２のモジュールの背面図である。
【図６】図２のモジュールの基本形を１個だけ用いたガス絶縁スイッチギヤを示す側断面図である。
【図７】本発明の実施の形態２を示す側断面図である。
【図８】本発明の実施の形態３を示す側断面図である。
【符号の説明】
５ｂ、５ｃ  タンク、６  真空バルブを含む遮断器、７ｂ  接地開閉器、１７絶縁フレーム、１０ｂ  接地開閉器付断路器、２ｂ、４ｂ  スイッチギヤモジュール、２４  母線用ブッシング、８ｂ  ケーブル接続用ブッシング、３ｂ  スペーサ、１５  操作部、２９  避雷器。
【図１】
2004153954.tif 000003
【図２】
2004153954.tif 000004
【図３】
2004153954.tif 000005
【図４】
2004153954.tif 000006
【図５】
2004153954.tif 000007
【図６】
2004153954.tif 000008
【図７】
2004153954.tif 000009
【図８】
2004153954.tif 000010